(57)【要約】      （修正有）【課題】  構成部品を再利用するための取り外し作業を、熟練度が低い作業者であっても行い得ること、再利用可能な部品を確実に回収できるようにすること。【解決手段】分解情報記憶素子２０には、電子レンジ１の構成部品の取り外し方法に関する分解手順情報が工場出荷段階で格納される。部品情報記憶素子２１には、電子レンジ１の構成部品が再利用可能か否かの判断基準となる部品情報（稼働履歴情報、故障履歴情報など）が、制御回路１０により例えばリアルタイムに書き込まれる。パソコン２３内の分解情報解析部２４は、部品情報記憶素子２１に記憶された部品情報に基づいて、再利用可能な構成部品を特定すると共に、このように特定された再利用可能な構成部品を取り外す手順を示す複数種類の画像データを、分解情報記憶素子２０に格納された分解手順情報に基づいて生成し、その画像データを分解情報表示部２５で順次表示する。【選択図】  図１
2005034785.tif 000002
【特許請求の範囲】
【請求項１】
家電機器本体に組み付けられた構成部品の取り外し方法に関する分解手順情報を格納した記憶手段と、
再利用可能な構成部品を取り外す手順を示す画像データを前記分解手順情報に基づいて生成する画像データ生成手段と、
を備え、
前記画像データ生成手段により生成された画像データを表示手段により再生できるように構成されていることを特徴とする家電機器用リサイクル支援システム。
【請求項２】
前記記憶手段は、前記家電機器本体に対し着脱可能に取り付けられた通信ユニット内に設けられ、
前記通信ユニットは、前記記憶手段の記憶内容を外部機器へ出力する通信機能を備えていることを特徴とする請求項１記載の家電機器用リサイクル支援システム。
【請求項３】
前記記憶手段は、前記分解手順情報の他に各構成部品の稼働履歴情報及び／または故障履歴情報を含む部品情報を格納して成り、
前記画像データ再生手段は、前記部品情報に基づいて再利用可能な構成部品を特定すると共に、特定された構成部品を取り外す手順を示す画像データを前記分解手順情報に基づいて生成することを特徴とする請求項１または２記載の家電機器用リサイクル支援システム。
【請求項４】
前記画像データによる再生画像は、取り外し対象の構成部品の位置を絵表示する画像であることを特徴とする請求項１ないし３の何れかに記載の家電機器用リサイクル支援システム。
【請求項５】
前記画像データによる再生画像は、再利用可能な構成部品を他の部品と色分けした状態で表示する画像であることを特徴とする請求項１ないし４の何れかに記載の家電機器用リサイクル支援システム。
【発明の詳細な説明】
【技術分野】
【０００１】
本発明は、構成部品を再利用する場合に、その分解を容易に行い得るようにした家電機器用リサイクル支援システムに関する。
【背景技術】
【０００２】
近年では、資源を有効利用することが社会的ニーズになっている。このため、洗濯機や電子レンジなどの家電機器においては、種々の理由により廃棄処分となったときに、再利用可能な構成部品を回収することが行われている。この場合、家電機器を分解して再利用可能な構成部品を取り出す必要があるが、家電機器の分解手順は製品の種類毎に大きく異なると共に、仕様が変更される毎に分解手順も異なってくることが多いため、その分解に手間取る場合が多くなり、作業のための所要時間が不用意に長引く恐れがある。このような恐れは、作業者の熟練度が低い場合に一層顕著になる。
【０００３】
上記事態に対処できる手段として、従来では、特許文献１に記載されたような家電機器が提供されている。この特許文献１に記載された手段は、例えば洗濯機において、これを構成する部品の種類、部品間の結合状態、部品同士の分解手法の少なくとも１種類の情報を当該洗濯機の外枠の内側面に印刷などにより表示し、その表示を部品分解時の参考指標にしようとするものである。
【特許文献１】特開平６−１６５８９３号公報
【発明の開示】
【発明が解決しようとする課題】
【０００４】
特許文献１に記載された手段では、構成部品の種類、部品同士の分解手法などの情報を印刷などにより表示するだけの構成であるため、その情報量に限界があって、複数種類の構成部品を取り外すための分解手順を丁寧に表示することが困難になる。このため、構成部品の取り外しを手際よく行うための手助けになりにくく、その取り外し作業のための所要時間が不用意に長引く恐れが依然として存在するという事情があった。
【０００５】
本発明は、上記事情に鑑みてなされたものであり、その目的は、再利用可能な構成部品の取り外し作業を、熟練度が低い作業者であっても容易且つ短時間で行い得ると共に、再利用可能な部品を確実に回収できるようになる家電機器用リサイクル支援システムを提供することにある。
【課題を解決するための手段】
【０００６】
前記目的を達成するために、請求項１記載の発明は、家電機器本体に組み付けられた構成部品の取り外し方法に関する分解手順情報を格納した記憶手段と、再利用可能な構成部品を取り外す手順を示す画像データを前記分解手順情報に基づいて生成する画像データ生成手段とを備えた上で、前記画像データ生成手段により生成された画像データを表示手段で再生できる構成としたものである。
【０００７】
請求項２記載の発明は、前記記憶手段を、前記家電機器本体に対し着脱可能に取り付けられた通信ユニット内に設け、前記通信ユニットを、前記記憶手段の記憶内容を外部機器へ出力する通信機能を備えた構成としたものである。
【０００８】
請求項３記載の発明は、前記記憶手段に、前記分解手順情報の他に各構成部品の仮想履歴情報及び／または故障履歴情報を格納した上で、前記画像データ再生手段を、前記部品情報に基づいて再利用可能な構成部品を特定すると共に、特定された構成部品を取り外す手順を示す画像データを前記分解手順情報に基づいて生成する構成としたものである。
【０００９】
請求項４記載の発明は、前記画像データによる再生画像を、取り外し対象の構成部品の位置を絵表示する画像としたものである。
【００１０】
請求項５記載の発明は、前記画像データによる再生画像を、再利用可能な構成部品を他の部品と色分けした状態で表示する画像としたものである。
【発明の効果】
【００１１】
請求項１記載の発明によれば、画像データ生成手段は、家電機器本体に組み付けられた構成部品のうち再利用可能な部品を取り外すための手順を示す画像データを、記憶手段に格納されている前記構成部品の取り外し方法に関する分解手順情報に基づいて生成するようになる。このように生成された画像データは、表示手段で再生できる構成となっているから、その表示を参照しながら構成部品の取り外し作業を手際よく行い得るようになる。
【００１２】
また、上記分解手順情報は、家電機器の仕様毎に独自のものを記憶しておくことができるから、構成部品の取り外し方法が異なる多種類の家電機器が存在する場合でも、その取り外し作業を的確に行い得る。
この場合、記憶手段には、対応する家電機器の複数種類の構成部品についての分解手順情報を詳細に記憶しておくことができるから、それら複数種類の構成部品を取り外すための分解手順を丁寧に表示することが可能になる。このため、熟練度が低い作業者であっても構成部品の取り外しを容易に行うことが可能になるものであり、その取り外し作業のための所要時間が不用意に長引く恐れがなくなる。また、再利用可能な部品を取り外すための手順が表示される結果、再利用可能な部品（リサイクル部品）を確実に回収できるようになる。
【００１３】
請求項２記載の発明によれば、家電機器の分解作業を行う場合に、当該家電機器から通信ユニットを取り外した状態或いは取り外す前の状態で、その通信ユニット内に設けられた記憶手段の記憶内容を当該通信ユニットの通信機能により外部機器へ出力することができる。従って、前記画像生成手段を外部機器側に設けておくことにより、再利用可能な構成部品を取り外すための手順を示す画像データを再生できるようになるから、その表示を参照しながら構成部品の取り外し作業を手際よく行い得るようになる。この場合、記憶手段を内蔵した通信ユニットを容易に再利用できるから、コスト的に有利になる。
【００１４】
請求項３記載の発明によれば、画像データ生成手段は、記憶手段に記憶された稼働履歴情報及び／または故障履歴情報を含む部品情報に基づいて再利用可能な構成部品を特定し、その特定された構成部品を取り外すための手順を示す画像データを、記憶手段に格納されている前記分解手順情報に基づいて生成する。つまり、構成部品を再利用可能か否かが、当該構成部品の実際の使用状況に応じて判断されることになるから、再利用が不可能な構成部品のために無駄な取り外し作業を行う恐れがなくなり、結果的に、作業効率の向上を期待できると共に、再利用可能な部品を確実に回収できるようになる。
【００１５】
請求項４記載の発明によれば、取り外し対象の構成部品の位置が絵表示されることになるから、その構成部品の位置確認を容易且つ正確に行い得るようになって、部品取り外し作業の効率が向上することになる。
【００１６】
請求項５記載の発明によれば、再利用可能な構成部品と他の部品とが色分けした状態で表示されるから、再利用可能な構成部品の取り外し作業を無駄なく正確に行い得るようになる。
【発明を実施するための最良の形態】
【００１７】
（第1の実施の形態）
以下、本発明の家電機器用リサイクル支援システムを電子レンジに適用した第１実施例について図１ないし図６を参照しながら説明する。
図２には、電子レンジ１（家電機器に相当）の概略的な外観が示されている。この図２において、キャビネット２（家電機器本体に相当）は前面が開口した矩形箱状をなすものであり、その内部に前面が開口した矩形容器状の加熱室３が形成されていると共に、前面部に加熱室３の開口部を開閉するための下開きタイプのドア４が回動可能に装着されている。
【００１８】
キャビネット２内には、加熱室３に側方から隣接した位置に機械室（図示せず）が形成されており、この機械室内には、後述するマグネトロンやファンモータなどが収納されている。キャビネット２における機械室の前面側位置には操作パネル５が設けられている。この操作パネル５には、具体的に符号を付して説明しないが、調理開始用のスタートスイッチ、複数種類の調理メニューに対応した自動調理スイッチ、調理時間を設定するための時間スイッチなどを備えたキースイッチ群６が配設されていると共に、調理情報や時間情報などを表示するための液晶ディスプレイパネルより成る表示器７が配設されている。
【００１９】
加熱室３内の底部には、マイクロ波を吸収しにくい材質の板状仕切り部材８により仕切られたアンテナ収納室（符号なし）が形成されており、このアンテナ収納室内には、加熱室３内に照射されたマイクロ波を反射して撹拌するための回転アンテナ９が配置されている。
【００２０】
図１には、システム全体の構成が機能ブロックの組合せにより示されている。この図１において、マイクロコンピュータより成る制御回路１０は、電子レンジ１の動作を制御するために設けられたもので、この制御回路１０には、ドア４用のドアスイッチ１１、加熱室３内に収納された物体の温度を非接触検知するための赤外線センサ１２、キースイッチ群６からの各出力信号が与えられるようになっている。
【００２１】
駆動回路１３は、制御回路１０からの指令により動作される複数のスイッチ要素（例えばリレー）を備えたもので、それらスイッチ要素のオンオフに応じて、マグネトロン１４、オーブン及びグリル調理用のヒータ１５、冷却ファンモータ１６、回転アンテナ９用のアンテナモータ１７、庫内灯１８の通断電制御が行われる。また、制御回路１０は、液晶ドライバ７ａを通じて表示器７の表示動作の制御を行うと共に、アンプ１９ａを通じてスピーカ１９の駆動制御を行う構成となっている。
【００２２】
電子レンジ１には、それぞれ本発明でいう記憶手段を構成する分解情報記憶素子２０及び部品情報記憶素子２１が設けられていると共に、これら記憶素子２０及び２１の記憶データを外部機器から読み出すときに使用される外部機器インタフェース２２が設けられている。
【００２３】
分解情報記憶素子２０は、例えばＲＯＭのような不揮発性メモリにより構成されるもので、電子レンジ１のキャビネット２に組み付けられた構成部品（ドア４、操作パネル５、キースイッチ群６、表示器７、仕切り部材８、回転アンテナ９、制御回路１０、ドアスイッチ１１、赤外線センサ１２、駆動回路１３、マグネトロン１４、ヒータ１５、冷却ファンモータ１６、アンテナモータ１７、庫内灯１８、スピーカ１９、分解情報記憶素子２０、部品情報記憶素子２１、外部機器インタフェース２２など）の取り外し方法に関する分解手順情報が、例えば電子レンジ１の工場出荷段階で格納されている。
【００２４】
部品情報記憶素子２１は、例えばＥＥＰＲＯＭのような書き換え可能な不揮発性メモリにより構成されるもので、前記種々の構成部品が再利用可能か否かの判断基準となる部品情報が構成部品毎に区分された状態で格納される。この部品情報は、各部品の稼働履歴情報（但し、表示器７、マグネトロン１４などのような能動部品のみ）、故障及び修理の内容を示す故障履歴情報、各部品の製造年月日データなどを含むもので、稼動履歴情報、故障履歴情報は、制御回路１０により例えばリアルタイムに書き込まれ、製造年月日データは工場出荷段階で書き込まれる。
【００２５】
外部機器インタフェース２２は、分解情報記憶素子２０及び部品情報記憶素子２１の記憶内容を外部機器であるパソコン２３へ出力するためのものであり、近距離無線通信、ワイヤ−ド接続などの種々の形態のインタフェースにより実現できる。
【００２６】
パソコン２３は、本発明でいう画像データ生成手段に相当した分解情報解析部２４の機能を、内蔵プログラムにより実現すると共に、本発明でいう表示手段に相当した分解情報表示部２５の機能を、付属モニタにより実現するために設けられている。この場合、分解情報解析部２４は、部品情報記憶素子２１に記憶された部品情報に基づいて、再利用可能な構成部品を特定すると共に、このように特定された再利用可能な構成部品を取り外す手順を示す複数種類の画像データを、分解情報記憶素子２０に格納された分解手順情報に基づいて生成する機能を有する。また、分解情報表示部２５は、分解情報解析部２４で生成された画像データを順次表示する機能を有する。
【００２７】
図３及び図４−１、図４−２は分解情報解析部２４の動作内容を示すフローチャートであり、以下これについて説明する。
分解情報解析部２４は、複数種類の構成部品の各々について、それらが再利用可能か否かの判別処理を部品情報記憶素子２１から読み取った部品情報を参照して実行し、その判別結果に基づいて再利用可能な構成部品を特定するものであり、図３には、その一例として、マグネトロン１４のための判別処理ルーチンが示されている。
【００２８】
すなわち、このマグネトロン用判別処理ルーチンでは、マグネトロン１４の故障記録の有無を判断し（ステップａ１）、故障記録があった場合には、その故障箇所の修理済み記録があるか否かを判断する（ステップａ２）。ここで修理済み記録がないと判断した場合には、マグネトロン１４が「再利用不可能」であるとの判別結果を記憶し（ステップａ３）、当該判別処理ルーチンを終了する。
【００２９】
故障記録がなかった場合、並びに故障記録があるが同時にその修理済み記録もあった場合には、マグネトロン１４の製造年月日と現在時点との差が許容限度である例えば１０年未満であるか否かを判断する（ステップａ４）。マグネトロン１４が製造後に１０年以上経過したものであった場合には、その累積稼働時間が許容限度である例えば２００時間以内であるか否かを判断する（ステップａ５）。マグネトロン１４の累積稼働時間が２００時間を越えていた場合には、マグネトロン１４が「再利用不可能」であるとの判別結果を記憶する前記ステップａ３を実行した後に、判別処理ルーチンを終了する。
【００３０】
また、マグネトロン１４が製造後に１０年以上経過していないものであった場合、並びに１０年以上経過したものであっても累積稼動時間が２００時間以内であった場合には、マグネトロン１４が「再利用可能」であるとの判別結果を記憶し（ステップａ６）、判別処理ルーチンを終了する。
【００３１】
分解情報解析部２４は、上記のような判別処理ルーチンを複数の構成部品のそれぞれについて行うことにより、再利用可能な構成部品を特定するものである。分解情報解析部２４は、このような特定が完了した後には、各構成部品が再利用可能であるか或いは再利用不可能であるかを模式的に表示するための複数種類の画像データを生成し、それらの画像データを分解情報表示部２５に与えてここで順次表示させる。
【００３２】
図５には、このような表示画面の例が、マグネトロン１４、表示器７、ドア４のそれぞれについて示されている。
すなわち、図５（ａ）に示す第１画面には、電子レンジ１の外形を概略的に示す形象Ｒが絵表示されると共に、マグネトロン１４を示す模式的な形象Ｍが、その位置を判別可能な状態で絵表示される。この場合、第１画面には、マグネトロン１４の状態（正常であるか否か）、稼働累計時間、製造年月日、故障及び修理回数を含む吹き出し部が表示される。また、マグネトロンを示す形象Ｍは、再利用可能であった場合に例えば赤色で点滅表示され、再利用不可能であった場合に例えば緑色で連続表示される。
【００３３】
図５（ｂ）に示す第２画面には、前記形象Ｒが絵表示されると共に、表示器７を示す模式的な形象Ｉが、その位置を判別可能な状態で絵表示される。この場合、第２画面には、表示器７の状態（正常であるか否か）、稼働累計時間、製造年月日、故障及び修理回数を含む吹き出し部が表示される。また、表示器７を示す形象Ｉは、再利用可能であった場合に例えば赤色で点滅表示され、再利用不可能であった場合に例えば緑色で連続表示される。
【００３４】
図５（ｃ）に示す第３画面には、前記形象Ｒが絵表示されると共に、ドア４を示す模式的な形象Ｄが、その位置を判別可能な状態で絵表示される。この場合、第３画面には、表示器７の状態（正常であるか否か）、製造年月日、故障及び修理回数を含む吹き出し部が表示される。また、ドア４を示す形象Ｄは、再利用可能であった場合に例えば赤色で点滅表示され、再利用不可能であった場合に例えば緑色で連続表示される。
また、このようなマグネトロン１４、表示器７、ドア４以外の構成部品についても、同様の画面が表示される。
【００３５】
一方、分解情報解析部２４は、上述のような画面を表示した後には、部品情報記憶素子２１に記憶されている部品情報に基づいて再利用可能な構成部品を特定すると共に、その構成部品を取り外す手順を示す画像データを、分解情報記憶素子２０から取得した分解手順情報に基づいて生成し、それらの画像データを分解情報表示部２５に与えてここで表示させる。具体的には、分解情報解析部２４は図４−１、図４−２に示すような解析及び表示制御処理ルーチンを実行するものであり、以下この図４−１、図４−２について説明する。但し、図４−１、図４−２では、説明の便宜上、マグネトロン１４、表示器７、ドア４のみをリサイクル部品（再利用可能な部品）の対象とした例にして説明するが、実際には、他の構成部品についても同様の解析及び表示制御処理が行われるものである。
【００３６】
この解析及び表示制御処理ルーチンでは、表示器７が再利用可能であった場合にフラグＡを「１」にセットし、再利用不可能であった場合にフラグＡを「０」にリセットする（ステップｂ１〜ｂ３）。また、マグネトロン１４が再利用可能であった場合にフラグＢを「１」にセットし、再利用不可能であった場合にフラグＢを「０」にリセットする（ステップｂ４〜ｂ６）。さらに、ドア４が再利用可能であった場合にフラグＣを「１」にセットし、再利用不可能であった場合にフラグＣを「０」にリセットする（ステップｂ７〜ｂ９）。
【００３７】
この後には、フラグＡ、Ｂ、Ｃを乗算した結果が「０」であるか否かを判断する（ステップｂ１０）。その乗算結果が「０」でなかった場合（「０」のフラグが一つも存在ない場合）、つまり、フラグＡ、Ｂ、Ｃが全て「１」であってマグネトロン１４、表示器７、ドア４が何れも再利用不可能であった場合には、分解情報表示部２５に対し「利用部品がないため分解する必要なし」のメッセージを所定時間だけ表示するステップｂ１１、同じく「全て破砕工程へ」のメッセージを所定時間だけ表示するステップｂ１２を順次実行した後に、解析及び表示制御処理ルーチンを終了する。
【００３８】
フラグＡ、Ｂ、Ｃの乗算結果が「０」であった場合には、分解情報表示部２５に対し「側面板の取り外し手順」画面を表示する（ステップｂ１３）。尚、ここでいう側面板は、キャビネット２の左右側面及び天井面を構成する「コ」の字形の板金部品であり、マグネトロン１４、表示器７、ドア４の何れかを取り外す際に、その前段階として取り外す必要がある部品である。上記「側面板の取り外し手順」画面には、図６（ａ）に示すように、電子レンジ１を模式的に表現したイメージ画像Ｑ１と、側面板の取り外し手順を示すメッセージｍ１とが表示される。また、このメッセージｍ１により指示された４箇所のねじの位置が矢印ｆ１〜ｆ４にて表示されると共に、側面板の取り外し方向が矢印ｆ５にて表示される。
【００３９】
このような「側面板の取り外し手順」画面を表示した状態では、パソコン２３のキーボードを通じた次工程移行操作があるまで待機する（ステップｂ１４）。
次工程移行操作が行われた場合には、フラグＡが「０」であるか否か、つまり、表示器７が再利用可能であるか否かを判断する（ステップｂ１５）。フラグＡが「１」であった場合（表示器７が再利用不可能であった場合）には、分解情報表示部２５に対し「操作パネル（表示器）は取り外す必要なし」のメッセージを所定時間だけ表示するステップｂ１６を実行した後に、図４−２に示すステップｂ２２へ移行する。
【００４０】
これに対して、フラグＡが「０」であった場合（表示器７が再利用可能であった場合）には、分解情報表示部２５に対し「表示器の取り外し手順」画面を表示する（ステップｂ１７）。この「表示器の取り外し手順」画面には、図６（ｂ）に示すように、側面板を取り外した状態の電子レンジ１を模式的に表現したイメージ画像Ｑ１と、表示器７の取り外し手順を示すメッセージｍ２とが表示される。また、このメッセージｍ２により指示された操作パネル５についての２箇所のねじの位置が矢印ｆ６、ｆ７にて表示されると共に、操作パネル５の取り外し方向が矢印ｆ８にて表示される。尚、表示器７は、操作パネル５を取り外した後に、当該操作パネル５から取り外すものである。
【００４１】
このような「表示器の取り外し手順」画面を表示した状態では、パソコン２３のキーボードを通じた次工程移行操作があるまで待機する（ステップｂ１８）。
次工程移行操作が行われた場合には、フラグＢ、Ｃを乗算した結果が「０」であるか否かを判断する（ステップｂ１９）。その乗算結果が「０」であった場合、つまり、フラグＢ、Ｃの少なくとも一方が「０」であった場合にはステップｂ２２へ移行する。これに対して、乗算結果が「０」でなかった場合（フラグＢ、Ｃが双方とも「１」の場合）、つまり、フラグＢ、Ｃに対応したマグネトロン１４、ドア４が何れも再利用不可能であった場合には、分解情報表示部２５に対し「マグネトロン、ドアは取り外す必要なし」のメッセージを所定時間だけ表示するステップｂ２０、同じく「残りを破砕工程へ」のメッセージを所定時間だけ表示するステップｂ２１を順次実行した後に、解析及び表示制御処理ルーチンを終了する。
【００４２】
ステップｂ２２では、フラグＢが「０」であるか否か、つまり、マグネトロン１４が再利用可能であるか否かを判断する。フラグＢが「１」であった場合（マグネトロン１４が再利用不可能であった場合）には、分解情報表示部２５に対し「マグネトロンは取り外す必要なし」のメッセージを所定時間だけ表示するステップｂ２３を実行した後に、ステップｂ２６へ移行する。
【００４３】
これに対して、フラグＢが「０」であった場合（マグネトロン１４が再利用可能であった場合）には、分解情報表示部２５に対し「マグネトロンの取り外し手順」画面を表示する（ステップｂ２４）。この「マグネトロンの取り外し手順」画面には、図６（ｃ）に示すように、電子レンジ１を模式的に表現したイメージ画像Ｑ３（前記「表示器の取り外し手順」画面を表示した履歴がある場合には、図示したように側面板及び操作パネル５を取り外した状態の画像となるが、その「表示器の取り外し手順」画面の表示履歴がない場合には、側面板のみを取り外した状態の画像となる）と、マグネトロン１４の取り外し手順を示すメッセージｍ３とが表示される。また、このメッセージｍ３により指示されたマグネトロン１４についての２箇所のねじの位置が矢印ｆ９、ｆ１０にて表示される。
【００４４】
このような「マグネトロンの取り外し手順」画面を表示した状態では、パソコン２３のキーボードを通じた次工程移行操作があるまで待機し（ステップｂ２５）、次工程移行操作が行われた場合にはステップｂ２６へ移行する。
ステップｂ２６では、フラグＣが「０」であるか否か、つまり、ドア４が再利用可能であるか否かを判断する（ステップｂ２６）。フラグＣが「１」であった場合（ドア４が再利用不可能であった場合）には、分解情報表示部２５に対し「ドアは取り外す必要なし」のメッセージを所定時間だけ表示するステップｂ２７、同じく「残りを破砕工程へ」のメッセージを所定時間だけ表示するステップｂ２８を順次実行した後に、解析及び表示制御処理ルーチンを終了する。
【００４５】
これに対して、フラグＣが「０」であった場合（ドア４が再利用可能であった場合）には、分解情報表示部２５に対し「ドアの取り外し手順」画面を表示する（ステップｂ２９）。この「ドアの取り外し手順」画面には、図６（ｄ）に示すように、電子レンジ１を模式的に表現したイメージ画像Ｑ４（前記「表示器の取り外し手順」画面及び「マグネトロンの取り外し手順」画面を双方とも表示した履歴がある場合には、図示したように側面板、操作パネル５及びマグネトロン１４を取り外した状態の画像となるが、その「表示器の取り外し手順」画面や「マグネトロンの取り外し手順」画面の表示履歴がない各場合には、側面板及び操作パネル５のみを取り外した状態或いは側面板及びマグネトロン１４のみを取り外した状態の画像となる）と、ドア４の取り外し手順を示すメッセージｍ４とが表示される。また、このメッセージｍ４により指示されたマグネトロン１４についての２箇所のＣリングの位置が矢印ｆ１１、ｆ１２にて表示される。
【００４６】
このような「表示器の取り外し手順」画面を表示した状態では、パソコン２３のキーボードを通じた次工程移行操作があるまで待機する（ステップｂ３０）。そして、次工程移行操作が行われた場合には、分解情報表示部２５に対し「「残りを破砕工程へ」のメッセージを所定時間だけ表示するステップｂ３１を実行した後に、解析及び表示制御処理ルーチンを終了する。
【００４７】
以上要するに、上記した本実施例によれば以下に述べるような作用・効果を奏するものである。
すなわち、電子レンジ１をリサイクルする際には、電子レンジ１内の分解情報記憶素子２０及び部品情報記憶素子２１にそれぞれ記憶された分解手順情報及び部品情報（稼働履歴情報、故障履歴情報、製造年月日データなどを含む）をパソコン２３に取り込む。すると、パソコン２３の内蔵プログラムにより実現された分解情報解析部２４が、読み込んだ部品情報に基づいて再利用可能な構成部品を特定すると共に、その特定結果に基づいて各構成部品が再利用可能であるか或いは再利用不可能であるかを模式的に表示するための複数種類の画像データを生成するようになり、それらの画像データによる再生画像が、分解情報表示部２５に例えば図５に示すような形態で表示される。
【００４８】
従って、分解作業を行う作業者は、分解情報表示部２５での表示内容に基づいて、再利用可能な部品の有無を認識できるようになる。この場合、分解情報表示部２５には、再利用可能な構成部品、つまり、取り外し対象の構成部品の位置が絵表示されることになるから、その構成部品の位置確認を容易且つ正確に行い得るようになって、部品取り外し作業の効率が向上することになる。しかも、分解情報表示部２５には、再利用可能な構成部品と他の部品とが色分けした状態（再利用可能な構成部品は赤色、他の部品は緑色）で表示されるから、再利用可能な構成部品の取り外し作業を無駄なく正確に行い得るようになって、その部品を確実に回収できるようになる。
【００４９】
また、分解情報解析部２４は、再利用可能な構成部品を取り外すための手順を示す画像データを、分解情報記憶素子２０から取り込んだ分解手順情報に基づいて生成するようになり、それら画像データによる再生画像が、分解情報表示部２５に例えば図６に示す形態で表示される。
従って、電子レンジ１の分解作業時には、分解情報表示部２５での表示を参照することにより、構成部品の取り外し作業を手際よく行い得るようになる。また、上記分解手順情報は、製品の仕様毎に独自のものを記憶しておくことができるから、構成部品の取り外し方法が異なる多種類の製品が存在する場合でも、その取り外し作業を的確に行い得る。この場合には、構成部品を再利用可能か否かが、部品情報により示される当該構成部品の実際の使用状況に応じて判断され、再利用可能な構成部品のみについての取り外し方法が表示されることになるから、再利用が不可能な構成部品のために無駄な取り外し作業を行う恐れがなくなり、結果的に、作業効率の向上を期待できると共に、再利用可能な部品を確実に回収できるようになる。
【００５０】
しかも、分解情報記憶素子２０には、対応する電子レンジ１の複数種類の構成部品についての分解手順情報を詳細に記憶しておくことができるから、それら複数種類の構成部品を取り外すための分解手順を丁寧に表示することが可能になる。このため、熟練度が低い作業者であっても構成部品の取り外しを容易に行うことが可能になるものであり、その取り外し作業のための所要時間が不用意に長引く恐れがなくなる。
【００５１】
（第２の実施の形態）
図７には本発明の第２実施例が示されており、以下これについて前記第１実施例と異なる部分のみ説明する。
すなわち、第１実施例では、分解情報記憶素子２０、部品情報記憶素子２１、外部機器インタフェース２２を電子レンジ１内に設ける構成としたが、この第２実施例では、それら分解情報記憶素子２０、部品情報記憶素子２１、外部機器インタフェース２２を内蔵した通信ユニット２６を設け、この通信ユニット２６を電子レンジ１に着脱可能に取り付けると共に、通信ユニット２６内の部品情報記憶素子２１を電子レンジ１側の制御回路１０に接続した構成となっている。この通信ユニット２６は、電子レンジ１への装着状態及び非装着状態の如何にかかわらず各記憶素子２０及び２１の記憶内容を外部機器インタフェース２２の通信機能によってパソコン２３へ出力できる。
【００５２】
このように構成された本実施例によれば、電子レンジ１の分解作業を行う場合に、当該電子レンジ１から通信ユニット２６を取り外した状態或いは取り外す前の状態で、その通信ユニット２６内に設けられた分解情報記憶素子２０、部品情報記憶素子２１の記憶内容を当該通信ユニット２６の通信機能によりパソコン２３へ出力することができる。従って、パソコン２３側において、再利用可能な構成部品の位置やその部品を取り外すための手順などを示す画像データを前記第１実施例と同様に再生できるようになるから、その表示を参照しながら構成部品の取り外し作業を手際よく行い得るようになる。この場合、分解情報記憶素子２０、部品情報記憶素子２１などを内蔵した通信ユニットを容易に再利用できるから、コスト的に有利になる。但し、このような再利用のためには、分解情報記憶素子２０をＥＥＰＲＯＭのような書き換え可能な不揮発性メモリにより構成する必要がある。
【００５３】
（第３の実施の形態）
図８には本発明の第３実施例が示されており、以下これについて前記第１実施例と異なる部分のみ説明する。
すなわち、本実施例では、パソコン２３側に構成部品の取り外し方法に関する分解手順情報を記憶した分解情報データベース２７（記憶手段に相当）を構築しておくことにより、第１実施例において電子レンジ１に内蔵されていた分解情報記憶素子２０を不要にしたものである。
この構成によれば、電子レンジ１の各々に分解情報記憶素子２０を設ける必要がなくなるから、その製品コストの上昇を抑制する上で有益になる。
【００５４】
（第４の実施の形態）
図９には本発明の第４実施例が示されており、以下これについて前記第１実施例と異なる部分のみ説明する。
すなわち、本実施例では、構成部品の取り外し方法に関する分解手順情報を記憶した分解情報データベース２８（記憶手段に相当）を、パソコン２３から通信回線２９（インターネットなど）を通じてアクセスできる状態で設置することにより、第１実施例において電子レンジ１に内蔵されていた分解情報記憶素子２０を不要にしたものである。
この構成によっても、電子レンジ１の各々に分解情報記憶素子２０を設ける必要がなくなるから、その製品コストの上昇を抑制する上で有益になる。
【００５５】
（その他の実施の形態）
本発明は上記した各実施例に限定されるものではなく、以下に述べるような拡大、変形が可能である。
電子レンジに限らず、洗濯機、乾燥機、冷蔵庫、エアコンなどの家電機器全般に適用できる。パソコン２３の付属モニタを表示手段（分解情報表示部２５）として利用する構成としたが、家電機器に設けられている表示手段（上記各実施例のような電子レンジ１の場合は表示器７）を利用しても良い。構成部品を取り外す手順を表示する際に、その手順を音声ガイドにより報知する構成としても良い。上記各実施例では、再利用可能な部品を取り外すための手順を示す画像データの再生を静止画により行う例で説明したが、その再生を動画像によって行う構成としても良い。
【図面の簡単な説明】
【００５６】
【図１】本発明の第１実施例を示すシステム全体の機能ブロック図
【図２】電子レンジの斜視図
【図３】分解情報解析部の動作内容を示すフローチャートその１
【図４−１】分解情報解析部の動作内容を示すフローチャートその２
【図４−２】分解情報解析部の動作内容を示すフローチャートその３
【図５】分解情報表示部での表示例を示す図その１
【図６】分解情報表示部での表示例を示す図その２
【図７】本発明の第２実施例を示す図１相当図
【図８】本発明の第３実施例を示す図１相当図
【図９】本発明の第４実施例を示す図１相当図
【符号の説明】
【００５７】
１は電子レンジ（家電機器）、２はキャビネット（家電機器本体）、４はドア（構成部品）、７は表示器（構成部品）、１４はマグネトロン（構成部品）、２０は分解情報記憶素子（記憶手段）、２１は部品情報記憶素子（記憶手段）、２３はパソコン（外部機器）、２４は分解情報解析部（画像データ生成手段）、２５は分解情報表示部（表示手段）、２６は通信ユニット、２７、２８は分解情報データベース（記憶手段）を示す。
【図１】
2005034785.tif 000003
【図２】
2005034785.tif 000004
【図３】
2005034785.tif 000005
【図４−１】
2005034785.tif 000006
【図４−２】
2005034785.tif 000007
【図５】
2005034785.tif 000008
【図６】
2005034785.tif 000009
【図７】
2005034785.tif 000010
【図８】
2005034785.tif 000011
【図９】
2005034785.tif 000012